(57)【要約】      （修正有）【課題】焼き網の取出しが出来、かつその操作が容体の外部から出来るようにした新規なオーブントースターの提供する。【解決手段】正面を開口面とする箱状容体１内に対して、調理用棚網Ａにおける棚網主体部４を、抜き差し自在に収装支持すると共に、当該棚網主体部４に連設する把持用柄部５，５を容体１の外面側から操作可能とすることに依り、当該調理用網棚Ａの取り外しが、容体１の外部において出来るように構成したオーブントースター。【選択図】図１
0003189366.tif 000002
【実用新案登録請求の範囲】
【請求項１】
正面を開口面とする箱状容体(１)内に対して、調理用棚網(Ａ)における棚網主体部(４)を、抜き差し自在に収装支持すると共に、当該棚網主体部(4)に連設する把持用柄部(5,5)を容体(1)の外面側から操作可能とすることに依り、当該調理用網棚(Ａ)の取り外しが、容体(１)の外部において出来るように構成したオーブントースター。
【請求項２】
箱状容体(１)の正面開口部に、扉体(２)をその下縁において開閉自在に取付け、調理用棚網(Ａ)として、棚網主体部(４)の両側部に、そのほぼ全長亘って平行する程度の長さを具えた把持用柄部(５，５)を、容体(1)の側面壁厚よりやや大きい間隔(Ｓ)を設けてその前端部において折り返すように連設し、当該棚網主体部(４)の容体(１)内に対するセットを及び取り出しを、容体(１)の外面側両側部に位置させられている把持用柄部(５，５)を介して行うように構成したオーブントースター。
【請求項３】
箱状容体(１)の内部に、棚網主体部(４)の支持が上下方向の複数個所において収容可能とし、これを抜き差し自在に支持できるように構成した請求項１または請求項２の何れかに記載のオーブントースター。
【請求項４】
棚網主体部(４)は把持用柄部(５，５)よりやや低い位置にあるように形成し。これを裏返した状態で使用することにより、棚網主体部(４)を熱源からの距離調節を行うことが出来るように構成した請求項１乃至請求項３の何れかに記載のオーブントースター。
【請求項５】
棚網主体部(４)部分をトレー状のものとして成る請求項１乃至請求項４の何れかに記載のオーブントースター。
【考案の詳細な説明】
【技術分野】
【０００１】
本考案は、主として一般家庭で使用されるオーブントースターに関する。
【背景技術】
【０００２】
従来、主として一般家庭で使用されるオーブントースターは、その網棚が扉の開閉に連動して前方にやや迫出すように構成し、網棚自体はオーブントースターに組み込まれているものである（例えば、特許文献１及び特許文献２参照。）。
【先行技術文献】
【特許文献】
【０００３】
【特許文献１】特開２００４−３４７１４４号公報
【特許文献２】特開２０１０−１９７００３号公報
【考案の概要】
【考案が解決しようとする課題】
【０００４】
上述したように従来のオーブントースターは、網棚が扉の開閉に基づき連動して前方に迫出すように構成され、網棚自体はオーブントースターに組み込まれているもの、すなわち、通常においては棚網自体を取り外すことが出来ない形態であった。  
【０００５】
従って、パン、肉、魚等、所要の食品を焼くために庫内に入れる際、更にはその取出しの際、庫内を覗き込むようにして行わなければならず、従って、その作業がやりにくい場合ばかりでなく、取り出しに際して火傷をしてしまう恐れもあった。
【０００６】
本考案はこのような従来の問題を解決した新規なオーブントースターの提供を図ったものである。
【課題を解決するための手段】
【０００７】
本考案は請求項１に記載のように、正面を開口面とする箱状容体１内に対して、調理用棚網Ａにおける棚網主体部４を、抜き差し自在に収装支持すると共に、当該棚網主体部4に連設する把持用柄部5,5を容体１の外面側から操作可能とすることに依り、当該調理用網棚Ａのセット及び取り外しが、容体１の外部において出来るように構成したオーブントースターに係る。
【０００８】
本考案は請求項２に記載のように、箱状容体１の正面開口部に、扉体２をその下縁において開閉自在に取付け、調理用棚網Ａとして、棚網主体部４の両側部に、そのほぼ全長に亘って平行する程度の長さを具えた把持用柄部５，５を、容体１の側面壁厚よりやや大きい間隔Ｓを設けてその前端部において折り返すように連設し、当該棚網主体部４の容体１内に対するセットを及び取り出しを、容体１の外面側両側部に位置させられている把持用柄部５，５を介して行うように構成したオーブントースターに係る。
【０００９】
本考案は請求項３に記載のように、箱状容体１内に対する棚網主体部４の支持が、上下方向の複数個所において抜き差し自在に行われるように構成した請求項１または請求項２の何れかに記載のオーブントースターを実施の態様とする。
【００１０】
本考案は請求項４に記載のように、把持用柄部５，５を棚主体部４の側面部中心よりやや上方にずらした位置に設けることにより、棚主体部４はその表裏の裏返し操作に基づき、熱源に対する距離の遠近調節が出来るように構成した請求項１乃至請求項３何れかに記載のオーブントースターを実施の態様とする。
【００１１】
本考案は請求項５に記載のように、棚網主体部４部分をトレー状のものとして成る請求項１乃至請求項４の何れかに記載のオーブントースターを実施の態様とする。
【考案の効果】
【００１２】
本考案は請求項１または請求項２に記載のような構成の採用に基づき、調理用棚網Ａの出し入れを、把持用柄部５，５を持つことにより、容体１内に手を入れることなく外部的操作に基づき達成される。  従って、焼き上がり食品の取出しに際して、従来のように容体内で行うことなく達成されるため、操作が容易にしてかつ安全に果たされる。  また、この作業中に火傷する様な心配が一掃される。
【００１３】
更に、調理用網棚Ａ自体を完全に取り外すことが出来るから、焼き上がり食品を載せた状態でテーブル等に載置することにより、そのまま皿として機能させることが出来る。  従って、スピーディな食事の準備と、焼き上がり食品の移し替えの際の火傷防止と言うような事柄が達成される。
【００１４】
本考案は請求項３に記載のような構成の採用に基づき、すなわち、箱状容体１の内部に、棚網主体部４の支持が上下方向の複数個所において段収容可能とし、これを抜き差し自在に支持できるように構成することにより、複数枚の棚網Ａの同時使用に基づき、大量食品の同時的焼き上げの達成化が図られる。
そして、一枚の棚網Ａの使用の場合は、差し替え位置を上下に変更することと、更にはその裏返しての使用(請求項４の構成に基づく)に基づき、熱源Ｈに対する距離の遠近調節を行うことにより、結局、図５に示す実施例にあっては、焼き上げ距離を４段階とするような調節を行うことが出来る。
【００１５】
本発明は請求項４に記載のような構成の採用に基づき、すなわち、把持用柄部５，５を棚主体部４の側面部中心よりやや上方にずらした位置に設けることにより、棚主体部４はその表裏の裏返し操作に基づき、熱源に対する距離の遠近調節が出来るように構成したから。調理対象食品に応じた熱源の強さ調節を図ることが出来る。
【００１６】
本発明は請求項５に記載のような構成の採用に基づき、すなわち、調理用棚網Ａにおける棚網主体部４部分をトレー状のものとすることにより、網に乗らない様な食品に対する対応が可能化される。
【図面の簡単な説明】
【００１７】
【図１】本考案の要部を表した横断面図である。
【図２】本考案の正面図である。
【図３】本考案の平面図である。
【図４】本考案の要旨部材たる棚網の斜視図である。
【図５】本考案の他の実施例を示す正面図である。
【考案を実施するための形態】
【００１８】
図において、１はオーブントースターの容体を示し、前面開口の箱状を呈するものである。  ２は当該容体１の前面開口部分に開閉自在に取付けた扉体であって、その下縁において開閉自在に枢着されている。  ２ａは扉体２の上縁寄り中央部に固設した取っ手を示し、扉体２の開閉操作を行うためのものである。  ３は容体１の下方に取付けたタイマー用ハンドルを示し、内装する熱源に対する通電時間を制御するためのものである。
【００１９】
なお、扉体２の取付け形態であるが、図示のようにその下縁において枢着する以外、上縁において枢着するように構成しても良い。  然し乍、扉体を側縁において枢着するように構成した場合、下記する調理用棚網Ａに対する抜き差し操作に齟齬をきたすため、これは採用不能とする。
【００２０】
Ａは本考案の要旨部材とする調理用棚網であって、当該棚網Ａは棚網主体部４の両側部に、当該両側部のほぼ全長亘って平行する程度の長さを具えた把持用柄部５，５を、所定間隔Ｓを保って、両者の前端部において折り返し状に連設してある。  ６，６は棚網主体部４と把持用柄部５，５とをその前端部で折り返し状に連ねるための連桿部である。  すなわち、連桿部６，６を容体１の側壁部前端面部を巻くように位置させることにより、棚網主体部４は容体１内部に、また把持用柄部５，５は容体１の外部側方に位置させるような形態で容体１に対してセットすることが出来るように構成してある。  そして、上記した間隔Ｓは容体１の側面壁厚よりやや大きい寸法、すなわち、側壁に対して非接触状態で挟持可能とする程度の緩めに嵌め込むことが出来る程度の寸法に設定してある。
【００２１】
更に、上記した把持用柄部５，５は、棚主体部４の側面部中心よりやや上方にずらした位置に設けることにより、棚主体部４はその表裏の裏返し操作に基づき、熱源Ｈ（図５参照）に対する距離の遠近調節が出来るように構成してある。
【００２２】
１ａ，１ａは容体１の前端縁に切設した切り込み凹溝であって、上記した扉体２の開閉を阻害しないよう、その側方に逃がした位置に形成してあり、連桿部６，６の内端を容体１の内部側に導くための案内溝としての役割を果たすものである。
【００２３】
１ｂ，１ｂは容体１の両側部内壁の所要箇所に取付けた棚受け片であって、棚網主体部４を摺動自在に受け止めるためのものである。
【００２４】
上記のような構成を有する本考案に係るオーブントースターは、容体１に対する網棚Ａの取出しは、扉体２を開いた状態で、容体１の外部側方に位置している把持用柄部５，５を介して行われる。  そして、網棚Ａの容体に対するセットは、扉体２を開いた状態で、切り込み凹溝１ａ，１ａに連桿６，６が係合させるようにして網棚Ａを容体内に挿し込むことによって、棚受け片１ｂ，１ｂによる受け止めが成され、セットの安定化が図られる。
【００２５】
ところで、棚網Ａであるが、これの棚網主体部４として、網状のものではなくトレー状のものとしての実施することも可能である。  これはオーブントースターとしての主たる使用目的に基づき設定されるものであり、技術的構成上においては同一な事項に属する。
【００２６】
図５は本考案の他の実施例を表したものである。  すなわち同実施例は、箱状容体１の内部に、棚網主体部４の支持が上下方向の複数個所において段収容可能とし、これを抜き差し自在に支持できるように構成したものである。  同図においては、容体１の両側部内壁の所要箇所に取付けた棚受け片１ｂ，１ｂは上下２ヶ所に形成し、切り込み凹溝１ａ，１ａもこれに合わせて上下２ヶ所に形成してある。  これにより、熱源Ｈからの距離を上下の２箇所の位置に調節的に網棚Ａを差し替えることが出来、熱源に対する遠近調節に基づく焼き上がりの調整が図られる。
そして、このような構成の採用は、上記のような網棚Ａの一枚使用以外に、同時に２枚の網棚Ａの使用も可能化され、これにより、調理食品の同時的焼き上げの大量性を図ることが出来る。
【００２７】
なお、上記した段数は２段に限定されるものではなく、これ以上の段数で実施することも可能である。
【符号の説明】
【００２８】
１  容体
1a  切り込み凹溝
1b  受け片
２  扉体
2a  取っ手
３  タイマー用ハンドル
Ａ  棚網
４  棚網主体部
５ 把持用柄部
６  連桿部
Ｈ  熱源
【図１】
0003189366.tif 000003
【図２】
0003189366.tif 000004
【図３】
0003189366.tif 000005
【図４】
0003189366.tif 000006
【図５】
0003189366.tif 000007
【手続補正書】
【提出日】平成25年12月27日(2013.12.27)
【手続補正１】
【補正対象書類名】実用新案登録請求の範囲
【補正対象項目名】全文
【補正方法】変更
【補正の内容】
【実用新案登録請求の範囲】
【請求項１】
正面を開口面とする箱状容体(１)内に対して、調理用棚網(Ａ)における棚網主体部(４)を、抜き差し自在に収装支持すると共に、当該棚網主体部(4)に連設する把持用柄部(5,5)を、容体(1)の側面壁厚よりやや大きい間隔(Ｓ)を設けてその前端部において容体(1)の外面側に折り返すように連設することに依って、当該調理用棚網(Ａ)の取り外しが、容体(１)の外部において操作可能とするように構成したオーブントースター。
【請求項２】
箱状容体(１)の正面開口部に、扉体(２)をその下縁において開閉自在に取付け、調理用棚網(Ａ)として、棚網主体部(４)の両側部に、そのほぼ全長に亘って平行する程度の長さを具えた把持用柄部(５，５)を、容体(１)の側面壁厚よりやや大きい間隔(Ｓ)を設けてその前端部において折り返すように連設し、当該棚網主体部(４)の容体(１)内に対するセット及び取り出しを、容体(１)の外面側両側部に位置させられている把持用柄部(５，５)を介して行うように構成したオーブントースター。
【請求項３】
箱状容体(１)の内部に、棚網主体部(４)の支持が上下方向の複数個所において収容可能とし、これを抜き差し自在に支持できるように構成した請求項１または請求項２の何れかに記載のオーブントースター。
【請求項４】
棚網主体部(４)は把持用柄部(５，５)よりやや低い位置にあるように形成し、これを裏返した状態で使用することにより、棚網主体部(４)を熱源からの距離調節を行うことが出来るように構成した請求項１乃至請求項３の何れかに記載のオーブントースター。
【請求項５】
棚網主体部(４)部分をトレー状のものとして成る請求項１乃至請求項４の何れかに記載のオーブントースター。
【手続補正２】
【補正対象書類名】明細書
【補正対象項目名】全文
【補正方法】変更
【補正の内容】
【考案の詳細な説明】
【技術分野】
【０００１】
本考案は、主として一般家庭で使用されるオーブントースターに関する。
【背景技術】
【０００２】
従来、主として一般家庭で使用されるオーブントースターは、その棚網が扉の開閉に連動して前方にやや迫出すように構成し、棚網自体はオーブントースターに組み込まれているものである（例えば、特許文献１及び特許文献２参照。）。
【先行技術文献】
【特許文献】
【０００３】
【特許文献１】特開２００４−３４７１４４号公報
【特許文献２】特開２０１０−１９７００３号公報
【考案の概要】
【考案が解決しようとする課題】
【０００４】
上述したように従来のオーブントースターは、棚網が扉の開閉に基づき連動して前方に迫出すように構成され、棚網自体はオーブントースターに組み込まれているもの、すなわち、通常においては棚網自体を取り外すことが出来ない形態であった。  
【０００５】
従って、パン、肉、魚等、所要の食品を焼くために庫内に入れる際、更にはその取出しの際、庫内を覗き込むようにして行わなければならず、従って、その作業がやりにくい場合ばかりでなく、取り出しに際して火傷をしてしまう恐れもあった。
【０００６】
本考案はこのような従来の問題を解決した新規なオーブントースターの提供を図ったものである。
【課題を解決するための手段】
【０００７】
本考案は請求項１に記載のように、正面を開口面とする箱状容体１内に対して、調理用棚網Ａにおける棚網主体部４を、抜き差し自在に収装支持すると共に、当該棚網主体部４に連設する把持用柄部5,5を、容体１の側面壁厚よりやや大きい間隔Ｓを設けてその前端部において容体１の外面側に折り返すように連設することに依って、当該調理用棚網Ａの取り外しが、容体１の外部において操作可能とするように構成したオーブントースターに係る。
【０００８】
本考案は請求項２に記載のように、箱状容体１の正面開口部に、扉体２をその下縁において開閉自在に取付け、調理用棚網Ａとして、棚網主体部４の両側部に、そのほぼ全長に亘って平行する程度の長さを具えた把持用柄部５，５を、容体１の側面壁厚よりやや大きい間隔Ｓを設けてその前端部において折り返すように連設し、当該棚網主体部４の容体１内に対するセット及び取り出しを、容体１の外面側両側部に位置させられている把持用柄部５，５を介して行うように構成したオーブントースターに係る。
【０００９】
本考案は請求項３に記載のように、箱状容体１内に対する棚網主体部４の支持が、上下方向の複数個所において抜き差し自在に行われるように構成した請求項１または請求項２の何れかに記載のオーブントースターを実施の態様とする。
【００１０】
本考案は請求項４に記載のように、棚網主体部４は把持用柄部５，５よりやや低い位置にあるように形成し、これを裏返した状態で使用することにより、棚網主体部４を熱源からの距離調節を行うことが出来るように構成した請求項１乃至請求項３の何れかに記載のオーブントースターを実施の態様とする。
【００１１】
本考案は請求項５に記載のように、棚網主体部４部分をトレー状のものとして成る請求項１乃至請求項４の何れかに記載のオーブントースターを実施の態様とする。
【考案の効果】
【００１２】
本考案は請求項１または請求項２に記載のような構成の採用に基づき、調理用棚網Ａの出し入れを、把持用柄部５，５を持つことにより、容体１内に手を入れることなく外部的操作に基づき達成される。  従って、焼き上がり食品の取出しに際して、従来のように容体内で行うことなく達成されるため、操作が容易にしてかつ安全に果たされる。  また、この作業中に火傷する様な心配が一掃される。
【００１３】
更に、調理用棚網Ａ自体を完全に取り外すことが出来るから、焼き上がり食品を載せた状態でテーブル等に載置することにより、そのまま皿として機能させることが出来る。  従って、スピーディな食事の準備と、焼き上がり食品の移し替えの際の火傷防止と言うような事柄が達成される。
【００１４】
本考案は請求項３に記載のような構成の採用に基づき、すなわち、箱状容体１の内部に、棚網主体部４の支持が上下方向の複数個所において段収容可能とし、これを抜き差し自在に支持できるように構成することにより、複数枚の棚網Ａの同時使用に基づき、大量食品の同時的焼き上げの達成化が図られる。
そして、一枚の棚網Ａの使用の場合は、差し替え位置を上下に変更することと、更にはその裏返しての使用(請求項４の構成に基づく)に基づき、熱源Ｈに対する距離の遠近調節を行うことにより、結局、図５に示す実施例にあっては、焼き上げ距離を４段階とするような調節を行うことが出来る。
【００１５】
本発明は請求項４に記載のような構成の採用に基づき、すなわち、把持用柄部５，５を棚主体部４の側面部中心よりやや上方にずらした位置に設けることにより、棚主体部４はその表裏の裏返し操作に基づき、熱源に対する距離の遠近調節が出来るように構成したから。調理対象食品に応じた熱源の強さ調節を図ることが出来る。
【００１６】
本発明は請求項５に記載のような構成の採用に基づき、すなわち、調理用棚網Ａにおける棚網主体部４部分をトレー状のものとすることにより、網に乗らない様な食品に対する対応が可能化される。
【図面の簡単な説明】
【００１７】
【図１】本考案の要部を表した横断面図である。
【図２】本考案の正面図である。
【図３】本考案の平面図である。
【図４】本考案の要旨部材たる棚網の斜視図である。
【図５】本考案の他の実施例を示す正面図である。
【考案を実施するための形態】
【００１８】
図において、１はオーブントースターの容体を示し、前面開口の箱状を呈するものである。  ２は当該容体１の前面開口部分に開閉自在に取付けた扉体であって、その下縁において開閉自在に枢着されている。  ２ａは扉体２の上縁寄り中央部に固設した取っ手を示し、扉体２の開閉操作を行うためのものである。  ３は容体１の下方に取付けたタイマー用ハンドルを示し、内装する熱源に対する通電時間を制御するためのものである。
【００１９】
なお、扉体２の取付け形態であるが、図示のようにその下縁において枢着する以外、上縁において枢着するように構成しても良い。  然し乍、扉体を側縁において枢着するように構成した場合、下記する調理用棚網Ａに対する抜き差し操作に齟齬をきたすため、これは採用不能とする。
【００２０】
Ａは本考案の要旨部材とする調理用棚網であって、当該棚網Ａは棚網主体部４の両側部に、当該両側部のほぼ全長に亘って平行する程度の長さを具えた把持用柄部５，５を、所定間隔Ｓを保って、両者の前端部において折り返し状に連設してある。  ６，６は棚網主体部４と把持用柄部５，５とをその前端部で折り返し状に連ねるための連桿部である。  すなわち、連桿部６，６を容体１の側壁部前端面部を巻くように位置させることにより、棚網主体部４は容体１内部に、また把持用柄部５，５は容体１の外部側方に位置させるような形態で容体１に対してセットすることが出来るように構成してある。  そして、上記した間隔Ｓは容体１の側面壁厚よりやや大きい寸法、すなわち、側壁に対して非接触状態で挟持可能とする程度の緩めに嵌め込むことが出来る程度の寸法に設定してある。
【００２１】
更に、上記した把持用柄部５，５は、棚主体部４の側面部中心よりやや上方にずらした位置に設けることにより、棚主体部４はその表裏の裏返し操作に基づき、熱源Ｈ（図５参照）に対する距離の遠近調節が出来るように構成してある。
【００２２】
１ａ，１ａは容体１の前端縁に切設した切り込み凹溝であって、上記した扉体２の開閉を阻害しないよう、その側方に逃がした位置に形成してあり、連桿部６，６の内端を容体１の内部側に導くための案内溝としての役割を果たすものである。
【００２３】
１ｂ，１ｂは容体１の両側部内壁の所要箇所に取付けた棚受け片であって、棚網主体部４を摺動自在に受け止めるためのものである。
【００２４】
上記のような構成を有する本考案に係るオーブントースターは、容体１に対する棚網Ａの取出しは、扉体２を開いた状態で、容体１の外部側方に位置している把持用柄部５，５を介して行われる。  そして、棚網Ａの容体に対するセットは、扉体２を開いた状態で、切り込み凹溝１ａ，１ａに連桿６，６が係合させるようにして棚網Ａを容体内に挿し込むことによって、棚受け片１ｂ，１ｂによる受け止めが成され、セットの安定化が図られる。
【００２５】
ところで、棚網Ａであるが、これの棚網主体部４として、網状のものではなくトレー状のものとしての実施することも可能である。  これはオーブントースターとしての主たる使用目的に基づき設定されるものであり、技術的構成上においては同一な事項に属する。
【００２６】
図５は本考案の他の実施例を表したものである。  すなわち同実施例は、箱状容体１の内部に、棚網主体部４の支持が上下方向の複数個所において段収容可能とし、これを抜き差し自在に支持できるように構成したものである。  同図においては、容体１の両側部内壁の所要箇所に取付けた棚受け片１ｂ，１ｂは上下２ヶ所に形成し、切り込み凹溝１ａ，１ａもこれに合わせて上下２ヶ所に形成してある。  これにより、熱源Ｈからの距離を上下の２箇所の位置に調節的に棚網Ａを差し替えることが出来、熱源に対する遠近調節に基づく焼き上がりの調整が図られる。
そして、このような構成の採用は、上記のような棚網Ａの一枚使用以外に、同時に２枚の棚網Ａの使用も可能化され、これにより、調理食品の同時的焼き上げの大量性を図ることが出来る。
【００２７】
なお、上記した段数は２段に限定されるものではなく、これ以上の段数で実施することも可能である。
【符号の説明】
【００２８】
１  容体
1a  切り込み凹溝
1b  受け片
２  扉体
2a  取っ手
３  タイマー用ハンドル
Ａ  棚網
４  棚網主体部
５ 把持用柄部
６  連桿部
Ｈ  熱源